(57)【要約】【課題】ケースによる保持に頼らずに、専用のケースは勿論、より大きなバッグ等の収納部内にも収納することが可能な、よりコンパクトなネクタイ巻装具を提供する。【解決手段】全体方形板状に形成され、ネクタイを複数回に重ねた状態で巻くことができる巻装具本体と、前記巻装具本体に巻装されたネクタイを固定する固定具とを有する構成とされている。【選択図】図１
0003219473.tif 000002
【実用新案登録請求の範囲】
【請求項１】
全体方形板状に形成され、ネクタイを複数回に重ねた状態で巻くことができる巻装具本体と、前記巻装具本体に巻装されたネクタイを固定する固定具とを有することを特徴とするネクタイ巻装具。
【請求項２】
前記巻装具本体は、平面長方形状に形成され、一対の短辺部により形成されたネクタイ巻装辺部と、前記一対の短辺部の間に形成された平面部により形成されるネクタイ巻装面部とを有し、前記ネクタイ巻装辺部は、厚さ方向に沿って外方へ膨出する円弧形状に形成されていることを特徴とする請求項１記載のネクタイ巻装具。
【請求項３】
前記ネクタイ巻装面部には、複数の開口部が形成されていると共に長さ方向に沿って、幅方向に所定間隔を置いて配設された長孔部が開設される一方、前記固定具は、両端部に係合部が設けられたベルトにより形成され、前記長孔に挿通されて配置されていることを特徴とする請求項２に記載のネクタイ巻装具。
【請求項４】
前記長孔部は、前記ベルトの幅寸法よりも大きな長さ寸法に形成されていることを特徴とする請求項３記載のネクタイ巻装具。
【請求項５】
前記巻装具本体は、一枚の長方形板材の長さ方向両端部が内方へ折曲形成されて形成され、前記ネクタイ巻装辺部は、前記長方形板材の厚さ寸法よりも大きな半径寸法を有する円弧状に形成されていることを特徴とする請求項２記載のネクタイ巻装具。
【考案の詳細な説明】
【技術分野】
【０００１】
本考案は、ネクタイ巻装具に係り、特に、ネクタイをシワが寄らない状態で持ち運びが可能なネクタイ巻装具に関するものである。
【背景技術】
【０００２】
従来より、例えば、特許文献１〜４等に開示されているように、大切なネクタイをシワが寄らない状態で携帯して持ち運ぶためのネクタイ巻装具は、いくつか提案され、実施に供されている。
【０００３】
従来のネクタイ巻装具は、いずれも、ケースに入れた状態でネクタイがはじめて脱落しないように保持される構成とされている。
【０００４】
しかしながら、需要者の間では、ケースによる保持に頼らずに、専用のケースは勿論、より大きなバッグ等のポケット等の収納部内にも収納することが可能な、よりコンパクトなネクタイ巻装具が欲しいとの要請がある。
【先行技術文献】
【特許文献】
【０００５】
【特許文献１】特開平１１−３３２７２４号公報
【特許文献２】実用新案登録第３０５３７２１号公報
【特許文献３】特開平１０−２１１０８０号公報
【特許文献４】実開平３−１１６１７４号公報
【考案の概要】
【考案が解決しようとする課題】
【０００６】
本考案は、以上のような従来の要請に応えるためのものであって、その課題は、ケースによる保持に頼らずに、専用のケースは勿論、より大きなバッグ等の収納部内にも収納することが可能な、よりコンパクトなネクタイ巻装具を提供することにある。
【課題を解決するための手段】
【０００７】
前記課題を解決するために、請求項１記載の考案にあっては、全体方形板状に形成され、ネクタイを複数回に重ねた状態で巻くことができる巻装具本体と、前記巻装具本体に巻装されたネクタイを固定する固定具とを有することを特徴とする。
【０００８】
従って、請求項１記載の考案にあっては、前記巻装具本体にネクタイを複数回に重ねた状態で、この巻装されたネクタイを、前記固定具により固定することができる。
【０００９】
請求項２記載の考案にあっては、前記巻装具本体は、平面長方形状に形成され、一対の短辺部により形成されたネクタイ巻装辺部と、前記一対の短辺部の間に形成された平面部により形成されるネクタイ巻装面部とを有し、前記ネクタイ巻装辺部は、厚さ方向に沿って外方へ膨出する円弧形状に形成されていることを特徴とする。
【００１０】
従って、請求項２記載の考案にあっては、前記一対のネクタイ巻装辺部が、厚さ方向に沿って外方へ膨出する円弧形状に形成されているため、特に前記巻装具本体を薄く形成しても、前記ネクタイ装着片部でネクタイの折り返し部に折り返しによる圧力が集中しない。
【００１１】
請求項３記載の考案にあっては、前記ネクタイ巻装面部には、複数の開口部が形成されていると共に長さ方向に沿って、幅方向に所定間隔を置いて配設された長孔部が開設される一方、前記固定具は、両端部に係合部が設けられたベルトにより形成され、前記長孔に挿通されて配置されていることを特徴とする。
【００１２】
従って、請求項３記載の考案にあっては、前記ネクタイ巻装面部には、複数の開口部が形成されているため、前記巻装具本体が軽量となり、また、前記固定具は、両端部に係合部が設けられたベルトにより形成され、前記長孔に挿通されて配置されているため、前記固定具を前記巻装部本体に容易に設けることができる。
【００１３】
請求項４記載の考案にあっては、前記長孔部は、前記ベルトの幅寸法よりも大きな長さ寸法に形成されていることを特徴とする。
【００１４】
従って、請求項４記載の考案にあっては、前記固定具としての前記ベルトを、前記長孔部の長さ方向にスライド移動させることができる。
【００１５】
請求項５記載の考案にあっては、前記巻装具本体は、一枚の長方形板材の長さ方向両端部が内方へ折曲形成されて形成され、前記ネクタイ巻装辺部は、前記長方形板材の厚さ寸法よりも大きな半径寸法を有する円弧状に形成されていることを特徴とする。
【００１６】
従って、請求項５記載の考案にあっては、前記巻装具本体を、アルミニウム板等の金属板を折り曲げて容易に形成することができるうえに、前記ネクタイ巻装片部は、前記長方形板材の厚さ寸法よりも大きな半径寸法を有する円弧状に形成されているため、前記ネクタイ装着辺部でネクタイの折り返し部に更に折り返しによる圧力が集中しない。
【考案の効果】
【００１７】
請求項１記載のネクタイ巻装具にあっては、前記巻装具本体にネクタイを複数回に重ねた状態で、この巻装されたネクタイを、前記固定具により固定することができるので、従来のようにケースによる保持に頼らずに、専用のケースは勿論、より大きなバッグ等の収納部内にも収納することが可能な、よりコンパクトなネクタイ巻装具を提供することができる。
【００１８】
請求項２記載のネクタイ巻装具にあっては、前記一対のネクタイ巻装辺部が、厚さ方向に沿って外方へ膨出する円弧形状に形成されているため、特に前記巻装具本体を薄く形成しても、前記ネクタイ装着辺部でネクタイの折り返し部に折り返しによる圧力が集中しないので、前記巻装具本体にネクタイを巻装しても、ネクタイを大きな圧力で傷ませたり、折り目をつけたりするおそれが殆どない。
【００１９】
請求項３記載のネクタイ巻装具にあっては、前記ネクタイ巻装面部には、複数の開口部が形成されているため、前記巻装具本体が軽量となるので、全体の軽量化が図れると共に、製造コストを低減させることができる。
【００２０】
また、前記固定具は、両端部に係合部が設けられたベルトにより形成され、前記長孔に挿通されて配置されているため、前記固定具を前記巻装部本体に容易に設けることができるので、ネクタイを前記巻装具本体に固定した状態で巻装しておくことができ、ネクタイの搬送中に捻じれ、シワ等が発生することを防止することができる。
【００２１】
請求項４記載のネクタイ巻装具にあっては、前記固定具としての前記ベルトを、前記長孔部の長さ方向にスライド移動させることができるので、前記巻装具本体に、適当にネクタイを巻き、よりしっかりと固定できる位置が多少ズレても、よりしっかりと固定できる位置を、前記ベルトをスライド移動させることにより対応することができる。
【００２２】
請求項５記載のネクタイ巻装具にあっては、前記巻装具本体を、アルミニウム板等の金属板を折り曲げて容易に形成することができるうえに、前記ネクタイ巻装辺部は、前記長方形板材の厚さ寸法よりも大きな半径寸法を有する円弧状に形成されているため、前記ネクタイ装着辺部でネクタイの折り返し部に更に折り返しによる圧力が集中しないので、更に製造が容易な分、製造コストを低減させることができ、前記一対のネクタイ巻装片部の円弧状の半径寸法が大きい分、更に、前記巻装具本体にネクタイを巻装しても、ネクタイを大きな圧力で傷ませたり、折り目をつけたりするおそれが殆どない。
【図面の簡単な説明】
【００２３】
【図１】図１は、本考案に係るネクタイ巻装具の一実施形態において、ネクタイを巻装した状態を示す斜視図である。
【図２】図２は、本考案に係るネクタイ巻装具の一実施形態において、ベルトの両端部を係合する表面側を示す斜視図である。
【図３】図３は、本考案に係るネクタイ巻装具の一実施形態において、裏面側を斜視図である。
【図４】図４は、本考案に係るネクタイ巻装具の一実施形態において、メッシュ製の専用ケース内に収納した状態を示す斜視図である。
【図５】図５は、本考案に係るネクタイ巻装具の一実施形態において、バッグの内ポケット内に収納した状態を示す側面図である。
【考案を実施するための形態】
【００２４】
以下、本考案に係るネクタイ巻装具を、一実施形態に基づき、図面を参照して説明する。
【００２５】
先ず、一実施形態の構成について説明する。
図１〜図５は、本考案に係る一実施形態のネクタイ巻装具１０を説明するための図である。
【００２６】
この一実施形態のネクタイ巻装具１０は、図１〜図３に示すように、全体方形板状に形成され、ネクタイ１２を複数回に重ねた状態で巻くことができる巻装具本体１１と、巻装具本体１１に巻装されたネクタイ１２を固定する固定具としてのベルト１３とを有する構成とされている。
【００２７】
具体的には、巻装具本体１１は、平面長方形状に形成され、一対の短辺部により形成されたネクタイ巻装辺部１４，１４と、一対の短辺部のネクタイ巻装辺部１４，１４の間に形成された平面部により形成されるネクタイ巻装面部１５とを有し、ネクタイ巻装辺部１４，１４は、厚さ方向に沿って外方へ膨出する円弧形状に形成されている。
【００２８】
さらに具体的には、巻装具本体１１は、一枚のアルミニウム板等の金属板の長方形板材の長さ方向両端部が内方へ折曲形成されて形成され、ネクタイ巻装辺部１４，１４は、アルミニウム板等の金属板の長方形板材の厚さ寸法よりも大きな半径寸法を有する円弧状に形成されている。
【００２９】
また、ネクタイ巻装面部１５，１５には、複数の円形状の開口部１６，・・・がネクタイ巻装面部１５の全域に亘って形成されていると共に長さ方向に沿って、幅方向に所定間隔を置いて配設された長孔部１７，１７が開設される一方、固定具としてのベルト１３は、合成樹脂製であり、両端部に係合部としての面ファスナー１３ａ，１３ｂが設けられて形成され、長孔１７，１７に挿通されて配置されている。
【００３０】
さらに、長孔部１７，１７は、ベルト１３の幅寸法よりも大きな長さ寸法に形成されている。本実施形態では、長孔部１７，１７の長さ寸法は、ベルト１３の幅寸法の約２倍に形成されている。
【００３１】
次に、一実施形態の作用効果について説明する。
【００３２】
この本考案の一実施形態のネクタイ巻装具１０を使用する場合には、図１〜図３に示すように、巻装具本体１１の長さ方向に沿ってネクタイ巻装辺部１４，１４の間において、ネクタイ巻装面部１５，１５上にネクタイ１２を複数回に重ねた状態で、巻装する。そして、この巻装されたネクタイ１２を、固定具としてベルト１３により固定することにより、巻装具本体１１へのネクタイ１２の固定が完了する。従って、図４に示すように、専用のメッシュのケース１８等に収納することができ、また、図５に示すように、より大きなバッグ１９の収納部としてのポケット２０内等に専用のメッシュのケース１８に収納することなく、そのままであっても収納することが可能であり、従来よりも、よりコンパクトなネクタイ巻装具を提供することができる。
【００３３】
また、一対のネクタイ巻装辺部１４，１４が、厚さ方向に沿って外方へ膨出する円弧形状に形成されているため、特に巻装具本体１１を薄く形成しても、ネクタイ装着辺部１４，１４でネクタイ１２の折り返し部に折り返しによる圧力が集中しないので、巻装具本体１１にネクタイ１２を巻装しても、ネクタイ１２を大きな圧力で傷ませたり、折り目をつけたりするおそれが殆どない。
【００３４】
さらに、ネクタイ巻装面部１５には、複数の開口部１６，・・・が形成されているため、巻装具本体１１が軽量となるので、全体の軽量化が図ることができる。
【００３５】
また、固定具としてのベルト１３は、両端部に係合部としての面ファスナー１３ａ，１３ｂが設けられて形成され、長孔１７，１７に挿通されて配置されているため、固定具としてのベルト１３を巻装部本体１１に容易に設けることができるので、ネクタイ１２を巻装具本体１１に固定した状態で巻装しておくことができ、ネクタイ１２の搬送中に捻じれ、シワ等が発生することを防止することができる。
【００３６】
さらに、固定具としてのベルト１３を、長孔部１７，１７の長さ方向にスライド移動させることができるので、巻装具本体１１に、適当にネクタイ１２を巻き、ネクタイ１２の上端部１２ａと下端部１２ｂが重なる、よりしっかりと固定できる位置が多少ズレても、よりしっかりと固定できる位置を、ベルト１３をスライド移動させることにより対応することができる。
【００３７】
また、巻装具本体１１を、アルミニウム板等の金属板を折り曲げて容易に形成することができるうえに、ネクタイ巻装辺部は、長方形板材の厚さ寸法よりも大きな半径寸法を有する円弧状に形成されているため、前記ネクタイ装着辺部１４，１４でネクタイ１２の折り返し部に更に折り返しによる圧力が集中せず、一対のネクタイ巻装辺部１４，１４の円弧状の半径寸法が大きい分、更に、巻装具本体１１にネクタイ１２を巻装しても、ネクタイ１２を大きな圧力で傷ませたり、折り目をつけたりするおそれが殆どない。
【００３８】
さらに、巻装具本体１１がアルミニウム板等の金属板の場合は、軽量且つ強度の高いものにすることができる。
【００３９】
以上、本考案に係るネクタイ巻装具の一実施形態について図面を参照して詳述してきたが、具体的な構成は、この一実施形態に限らず、本考案の要旨を逸脱しない程度の設計的変更は、本考案に含まれる。
【００４０】
例えば、上記した一実施形態では、ネクタイ巻装具１０の巻装具本体１１をアルミニウム等の金属板で形成したが、これに限定されず、例えば、合成樹脂板等により形成して実施してもよい。
【００４１】
また、上記した一実施形態では、巻装具本体１１のネクタイ巻装辺部１４，１４を折り曲げ形成したが、これに限定されず、合成樹脂板等で製造する場合は、押出成形法等で形成して実施してもよい。
【産業上の利用可能性】
【００４２】
本考案に係るネクタイ巻装具は、多くの人々が購入し、使用することができるので、産業上の利用可能性を有している。
【符号の説明】
【００４３】
１０    ネクタイ巻装具
１１    巻装具本体
１２    ネクタイ
１２ａ  ネクタイの上端部
１２ｂ  ネクタイの下端部
１３    ベルト（固定具）
１３ａ  面ファスナー（係合部）
１３ｂ  面ファスナー（係合部）
１４    ネクタイ巻装辺部
１５    ネクタイ巻装面部
１６    開口部
１７    長孔部
１８    専用のメッシュのケース
１９    バッグ
２０    バッグのポケット
【図１】
0003219473.tif 000003
【図２】
0003219473.tif 000004
【図３】
0003219473.tif 000005
【図４】
0003219473.tif 000006
【図５】
0003219473.tif 000007